(57)【要約】      （修正有）【課題】優れた機械的特性及び耐摩擦磨耗特性を有するポリアミド樹脂組成物の提供。【解決手段】ポリアミド樹脂、ガラス繊維及びカップリング剤を含有するポリアミド樹脂組成物であって、ポリアミド樹脂が、２種以上のポリアミド樹脂の混合物であって、前記混合物の相対粘度が２．８以上であり、前記混合物のうち最も相対粘度が高いポリアミド樹脂と最も相対粘度が小さいポリアミド樹脂の相対粘度の差が０．５以上であって、ガラス繊維の平均繊維径が６．０〜９．０μｍであるポリアミド樹脂組成物。好ましくは、２種以上のポリアミド樹脂の混合物が、いずれもポリアミド６６であるポリアミド樹脂組成物。カップリング剤が、イソシアネートシランカップリング剤である、ポリアミド樹脂組成物。前記ポリアミド樹脂組成物を成形してなる成形体であり、好ましくは摺動部品である、成形体。【選択図】なし【特許請求の範囲】
【請求項１】
ポリアミド樹脂、ガラス繊維およびカップリング剤を含有するポリアミド樹脂組成物であって、
ポリアミド樹脂が、２種以上のポリアミド樹脂の混合物であって、前記混合物の相対粘度が２．８以上であり、前記混合物のうち最も相対粘度が高いポリアミド樹脂と最も相対粘度が小さいポリアミド樹脂の相対粘度の差が０．５以上であって、
ガラス繊維の平均繊維径が６．０〜９．０μｍであることを特徴とするポリアミド樹脂組成物。
【請求項２】
２種以上のポリアミド樹脂の混合物が、いずれもポリアミド６６であることを特徴とする請求項１に記載のポリアミド樹脂組成物。
【請求項３】
カップリング剤が、イソシアネートシランカップリング剤であることを特徴とする請求項１または２に記載のポリアミド樹脂組成物。
【請求項４】
請求項１〜３のいずれかに記載のポリアミド樹脂組成物を成形してなることを特徴とする成形体。
【請求項５】
摺動部品であることを特徴とする請求項４に記載の成形体。
【請求項６】
ギア、プーリー、カム、軸受けまたはケーブルハウジングであることを特徴とする請求項４に記載の成形体。
【発明の詳細な説明】
【技術分野】
【０００１】
本発明は優れた機械的特性および耐摩擦磨耗特性を有するポリアミド樹脂組成物に関するものである。
【背景技術】
【０００２】
ポリアミド樹脂は、エンジニアリングプラスチックとしての優れた特性を有することから、自動車、機械、電気・電子等各種の工業分野において広く用いられている。近年、ポリアミド樹脂は、その優れた機械的特性、耐摩耗性から、軸受け、ギア、ウオーム、摺動筒等の摺動部品の金属代替として広く用いられるようになってきているが、高荷重、高速度条件下では、耐摩擦摩耗性が不十分であるという問題があった。そのため、ポリアミド樹脂に対し各種補強材や添加剤を配合し、機械的特性や摺動性を向上させることが検討されている。
【０００３】
特許文献１、２では、ポリアミド樹脂にテトラフルオロエチレンや高密度ポリエチレンを配合して耐摩擦磨耗特性を向上させることが開示されており、特許文献３、４では、ポリアミド樹脂にエラストマーやフィラーを配合して耐摩擦磨耗特性を向上させることが開示されている。
【先行技術文献】
【特許文献】
【０００４】
【特許文献１】特開昭６２−１８５７４７号公報
【特許文献２】特開平８−１５７７１４号公報
【特許文献３】特開２００１−１０６９０４号公報
【特許文献４】特開２００４−１０７４４０号公報
【発明の概要】
【発明が解決しようとする課題】
【０００５】
本発明は、かかる従来技術に鑑み、優れた機械的特性および耐摩擦磨耗特性を有するポリアミド樹脂組成物を提供することを目的とする。
【課題を解決するための手段】
【０００６】
本発明者らは、このような課題を解決するために鋭意検討の結果、特定のポリアミド樹脂の混合物を用いて、特定の繊維径のガラス繊維を用いることによって、上記目的が達成できることを見出し、本発明に到達した。
（１）ポリアミド樹脂、ガラス繊維およびカップリング剤を含有するポリアミド樹脂組成物であって、
ポリアミド樹脂が、２種以上のポリアミド樹脂の混合物であって、前記混合物の相対粘度が２．８以上であり、前記混合物のうち最も相対粘度が高いポリアミド樹脂と最も相対粘度が小さいポリアミド樹脂の相対粘度の差が０．５以上であって、
ガラス繊維の平均繊維径が６．０〜９．０μｍであることを特徴とするポリアミド樹脂組成物。
（２）２種以上のポリアミド樹脂の混合物が、いずれもポリアミド６６であることを特徴とする（１）に記載のポリアミド樹脂組成物。
（３）カップリング剤が、イソシアネート系カップリング剤であることを特徴とする（１）または（２）に記載のポリアミド樹脂組成物。
（４）（１）〜（３）のいずれかに記載のポリアミド樹脂組成物を成形してなることを特徴とする成形体。
（５）摺動部品であることを特徴とする（４）に記載の成形体。
（６）ギア、プーリー、カム、軸受けまたはケーブルハウジングであることを特徴とする（４）に記載の成形体。
【発明の効果】
【０００７】
本発明によれば、優れた機械的特性および耐摩擦磨耗特性を有するポリアミド樹脂組成物を提供することができる。本発明のポリアミド樹脂組成物は、摺動部品に好適に用いることができる。
【発明を実施するための形態】
【０００８】
本発明のポリアミド樹脂組成物は、ポリアミド樹脂とガラス繊維とカップリング剤とから構成される。
【０００９】
本発明に用いるポリアミド樹脂は、主鎖中にアミド結合を有する樹脂のことである。ポリアミド樹脂としては、例えば、ポリε−カプラミド（ポリアミド６）、ポリテトラメチレンアジパミド（ポリアミド４６）、ポリヘキサメチレンアジパミド（ポリアミド６６）、ポリヘキサメチレンセバカミド（ポリアミド６１０）、ポリヘキサメチレンドデカミド（ポリアミド６１２）、ポリウンデカメチレンアジパミド（ポリアミド１１６）、ポリウンデカナミド（ポリアミド１１）、ポリドデカナミド（ポリアミド１２）、ポリアミド６／６６共重合体を挙げられる。中でも、耐熱性、強度、加工性、経済性の観点から、ポリアミド６６が好ましい。
【００１０】
ポリアミド樹脂は、２種以上のポリアミド樹脂の混合物であることが必要である。混合物の相対粘度は、２．８以上であることが必要であり、２．８〜３．８であることが好ましい。前記混合物の相対粘度が２．８未満の場合、摩耗量が多くなったり、衝撃強度が低くなったりするので好ましくない。一方、前記混合物の相対粘度が３．８を超える場合、耐摩擦磨耗性が劣るものとなったり、成形性が低くなったりする場合がある。前記混合物のうち最も相対粘度が高いポリアミド樹脂と最も相対粘度が小さいポリアミド樹脂の相対粘度の差は、０．５以上であることが必要であり、０．７以上であることが好ましい。前記相対粘度の差が０．５未満の場合、耐摩擦磨耗性が劣るものとなるので好ましくない。前記混合物のうち最も相対粘度が高いポリアミド樹脂の相対粘度は、３．３〜５．０であることが好ましく、３．７〜４．６であることがより好ましい。前記混合物のうち最も相対粘度が高いポリアミド樹脂の相対粘度が３．３未満の場合、機械的特性が低くなる場合があり、前記相対粘度が５．０を超える場合、ガラス繊維の分散性が悪くなり、機械的特性が低くなる場合がある。
【００１１】
本発明に用いるガラス繊維は、機械的特性と耐摩擦磨耗性の観点から、繊維径が６．０〜９．０μｍであることが必要である。繊維径が６．０μｍ未満のガラス繊維は、チョップドストランドの製造が困難なばかりか、配合時に開繊不足が発生しポリアミド樹脂中にガラス繊維を均一に混合することが困難であるため好ましくなく、一方、繊維径が９．０μｍを越える場合、耐摩擦磨耗性が低くなるので好ましくない。断面形状は、円形であっても非円形断面であってもよい。非円形断面としては、特に限定されないが、通常、まゆ形、長円形、半円形、円弧形、長方形、平行四辺形またはこれらの類似形のものが用いられる。繊維長は、１〜１５ｍｍであることが好ましく、１．５〜１２ｍｍであることがより好ましく、２〜６ｍｍであることがさらに好ましい。ガラス繊維は、ポリアミド樹脂中への分散性および密着性を高める目的で、シランカップリング剤、チタンカップリング剤、その他の高分子または低分子の表面処理剤で表面処理されているのが好ましい。
【００１２】
ガラス繊維の含有量は、ポリアミド樹脂１００質量部に対して、５〜５０重量部とすることが好ましく、１５〜４０質量部とすることがより好ましい。ガラス繊維の含有量が５質量部よりも少ない場合、機械的特性、耐摩擦磨耗性の向上効果が小さくなる場合がある。一方、ガラス繊維の含有量が５０質量部よりも多い場合、耐摩擦磨耗性が低下する場合がある。
【００１３】
本発明に用いるカップリング剤としては、シラン系カップリング剤が好ましく、イソシアネートシランカップリング剤またはエポキシシランカップリング剤がより好ましい。イソシアネートシランカップリング剤は、１分子当たりイソシアネート基を１個以上含有するシランカップリング剤である。イソシアネートシランカップリング剤としては、例えば、γ−イソシアネートプロピルトリメトキシシラン、γ−イソシアネートプロピルトリエトキシシラン、γ−イソシアネートプロピルメチルジエトキシシラン、γ−イソシアネートプロピルメチルジメトキシシランが挙げられる。エポキシシランカップリング剤は、１分子当たりエポキシ基を１個以上含有するシランカップリング剤である。エポキシシランカップリング剤としては、例えば、γ−グリシドキシプロピルトリメトキシシラン、γ−グリシドキシプロピルトリエトキシシラン、β−（３，４−エポキシシクロヘキシル）エチルトリメトキシシラン、γ−グリシドキシプロピルメチルジエトキシシラン、γ−グリシドキシプロピルメチルジメトキシシラン等が挙げられる。中でも、イソシアネートシランカップリング剤が好ましく、γ−  イソシアネートプロピルトリメトキシシランまたはγ−イソシアネートプロピルトリエトキシシランがより好ましい。
【００１４】
カップリング剤の含有量としては、ポリアミド樹脂１００質量部に対して、０．１〜１質量部とすることが好ましく、０．２〜０．５質量部とすることがより好ましい。カップリング剤の含有量が０．１質量部よりも少ない場合、耐摩擦磨耗性の向上効果が小さい場合がある。一方、カップリング剤の含有量が１質量部よりも多い場合、引張強度および引張弾性率が低下する場合がある。
【００１５】
本発明のポリアミド樹脂組成物には、熱安定剤を含有させてもよい。熱安定剤としては、例えば、塩化銅、臭化銅、フッ化銅、ヨウ化銅、チオシアン酸銅、硝酸銅、酢酸銅、ナフテン銅、カプリン酸銅、ラウリン酸銅、ステアリン酸銅、アセチルアセトン銅、酸化銅（Ｉ）、および酸化銅（ＩＩ）が挙げられる。熱安定剤は、単独で用いてもよいし、２種以上を併用してもよい。中でも、耐熱性向上の観点から、ヨウ化銅等のハロゲン化銅または酢酸銅が好ましい。上記銅系熱安定剤は、ハロゲン化カリウムと併用することにより、さらに耐熱性を向上させることができる。ハロゲン化カリウムとしては、例えば、ヨウ化カリウム、臭化カリウム、塩化カリウムが挙げられる。
【００１６】
本発明のポリアミド樹脂組成物には、本発明の効果を損なわない範囲で、可塑剤、耐衝撃材、耐熱材、発泡剤、耐候剤、結晶核剤、結晶化促進剤、離型剤、滑剤、帯電防止剤、難燃剤、難燃助剤、顔料、染料等の添加剤を加えてもよい。
【００１７】
本発明のポリアミド樹脂組成物は、ポリアミド樹脂とガラス繊維とカップリング剤を、一軸あるいは二軸押出機、バンバリーミキサー等で溶融混練することにより製造することができる。そして、得られたポリアミド樹脂組成物組成物を成形することにより、成形体を得ることができる。成形方法としては、押出成形法、ブロー成形法、射出成形法等が挙げられる。
【００１８】
本発明のポリアミド樹脂組成物は、摺動部品、特に自動車や機械のギア、プーリー、カム、軸受、ケーブルハウジング等に好適に用いることができる。
【実施例】
【００１９】
以下、本発明を実施例によって具体的に説明するが、本発明はこれら実施例に限定されるものではない。
Ａ．評価方法
（１）相対粘度
９６質量％濃硫酸を溶媒とし、温度２５℃、濃度１ｇ／ｄｌの条件で測定した。
（２）引張強度、引張弾性率
ＩＳＯ５２７−１、２に準拠して、常温下、引張速度５ｍｍ／分で測定した。
（３）シャルピー衝撃強さ
ＩＳＯ１７９−１に準拠して、常温下、ノッチ付きで、エッジワイズで測定した。
【００２０】
（４）限界ＰＶ値
ＪＩＳ  Ｋ７２１８  Ａ法に準拠して、鈴木式摩擦摩耗試験機（東洋ボールドウィン社製ＭＯＤＥＬ  ＥＦＭ−ＩＩＩ−Ｅ型）を用いて摩擦摩耗試験をおこなった。相手材は円筒状の鋼（Ｓ４５Ｃ、＃２０００仕上げ）を用いて、試験速度は２００ｍｍ／秒とした。開始時に試験荷重１００Ｎをかけ、１０分毎に１００Ｎずつ上げ、試験片が溶融した試験荷重の直前の荷重の値を限界ＰＶ値とした。
本発明においては、限界ＰＶ値が０．６ＭＰａ．ｍ／ｓ以上の場合、合格と判断した。
【００２１】
（５）摩耗体積量
ＪＩＳ  Ｋ７２１８  Ａ法に準拠して、鈴木式摩擦摩耗試験機（東洋ボールドウィン社製ＭＯＤＥＬ  ＥＦＭ−ＩＩＩ−Ｅ型）を用いて摩擦摩耗試験をおこなった。相手材としては円筒状の鋼（Ｓ４５Ｃ、＃２０００仕上げ）を用いて、試験速度は２００ｍｍ／秒とした。開始時に試験荷重１００Ｎをかけ、１時間連続運転した。
連続運転後、磨耗量（ｇ）を求め、ポリアミド樹脂組成物の密度を用いて摩耗体積量（ｃｍ３／時間）を求めた。
本発明においては、摩耗体積量が７ｃｍ３／ｈ以下の場合、合格と判断した。
【００２２】
（６）振動疲労性
試験条件は振動疲労試験機（東洋精機製作所社製）を用い、引張荷重制御、チャック間距離：２５ｍｍ、雰囲気温度：３０℃、周波数：３０Ｈｚ、応力モード：引張の条件下で測定をおこなった。６３ＭＰａでの応力を負荷し、試験片が破壊するまでの応力負荷回数を計測した。試験片は、ＪＩＳ  Ｋ７１６０の２形試験片を用いた。
本発明においては、負荷回数が１０５以上の場合、合格と判断した。
【００２３】
Ｂ．原料
（１）ポリアミド樹脂
・ＰＡ６−１：ユニチカ社製  Ｅ２０４６、ポリアミド６６、相対粘度４．６
・ＰＡ６−２：ユニチカ社製  Ｅ２０３７、ポリアミド６６、相対粘度３．７
・ＰＡ６−３：ユニチカ社製  Ｅ２０３３、ポリアミド６６、相対粘度３．３
・ＰＡ６−４：ユニチカ社製  Ｅ２０００、ポリアミド６６、相対粘度２．８
・ＰＡ６−５：ユニチカ社製  Ｅ２００１Ｒ、ポリアミド６６、相対粘度２．５
・ＰＡ６６−１：ユニチカ社製  Ａ１０３０ＢＲＬ、ポリアミド６、相対粘度２．５
・ＰＡ６６−２：ユニチカ社製  Ａ１０３０ＢＲＴ、ポリアミド６、相対粘度３．５
【００２４】
（２）ガラス繊維
・ＧＦ１：オーウェンコーニング社製  ＣＳ０３ＤＥＦＴ２Ａ、繊維径６．５μｍ、繊維長３ｍｍ
・ＧＦ２：日東紡績社製  ＣＳ０３Ｇ４５９、繊維径９．０μｍ、繊維長３ｍｍ
・ＧＦ３：日本電気硝子社製  ＥＣＳ０３Ｔ２６２Ｈ社繊維径１０．５μｍ、繊維長３ｍｍ
【００２５】
（３）カップリング剤
・Ｃ１：モメンティブ・パフォーマンス・マテリアルズ社製  Ｙ−５１８７、γ−イソシアネートプロピルトリメトキシシラン
・Ｃ２：信越シリコーン社製  ＫＢＭ−４０３社γ−グリシドキシプロピルトリメトキシシラン     
・Ｃ３：信越シリコーン社製  ＫＢＭ−９０３社γ−アミノプロピルトリメトキシシラン
【００２６】
（４）耐熱剤
・ヨウ化銅（ＣｕＩ）
・臭化カリウム（ＫＩ）
【００２７】
実施例１〜１１および比較例１〜７
表１に記載したポリアミド樹脂およびガラス繊維をＴＥＭ２６ＳＳ二軸混練機で溶融混練し、目的とするポリアミド樹脂組成物ペレットを得た。
その後、得られたペレットをシリンダー温度２９０℃、金型温度８０℃で射出成形し、各種試験片を製造し、各種物性を評価した。
【００２８】
実施例１〜１１および比較例１〜７の樹脂組成や得られたポリアミド樹脂組成物の評価を表１に示す。
【００２９】
【表１】
2018197316.tif 000002
【００３０】
実施例１〜１１のポリアミド樹脂組成物は、引張強度、シャルピー衝撃強度が高く、磨耗量が小さく、振動疲労性に優れていた。
【００３１】
比較例１のポリアミド樹脂組成物は、ポリアミド樹脂として１種類の高粘度のポリアミド樹脂のみを用いたため、振動疲労性に劣っていた。
比較例２のポリアミド樹脂組成物は、ポリアミド樹脂として１種類の低粘度のポリアミド樹脂のみを用いたため、磨耗体積量が多かった。
比較例３のポリアミド樹脂組成物は、用いるポリアミド樹脂混合物の相対粘度が低かったため、摩耗体積量が多かった。
比較例４のポリアミド樹脂組成物は、用いるポリアミド樹脂混合物の相対粘度の差異が小さかったため、振動疲労性に劣っていた。
比較例５のポリアミド樹脂組成物は、ガラス繊維を用いなかったため、限界ＰＶ値が小さく、振動疲労性に劣っていた。
比較例６のポリアミド樹脂組成物は、用いるガラス繊維の繊維径が大きかったため、限界ＰＶ値が小さく、摩耗体積量が多く、振動疲労性に劣っていた。
比較例７のポリアミド樹脂組成物は、カップリング剤を用いなかったため、限界ＰＶ値が小さく、磨耗体積量が多かった。